(57)【特許請求の範囲】
【請求項１】
音源の少なくとも一部を覆う第１カバー板と、
前記音源から発せられた音の伝達方向から見て前記第１カバー板よりも外側に少なくとも一部が設けられ、少なくとも前記第１カバー板側の内縁部が前記第１カバー板よりも前記音源側に位置する第２カバー板と、
前記第１カバー板の外縁部と、前記第２カバー板の内縁部と、を接続する壁部と、
を備え、
前記第２カバー板は、前記伝達方向に対して所定角度で交差し、
前記壁部は、前記伝達方向に対して前記所定角度よりも小さい角度で交差し、
前記第２カバー板には、少なくとも１つの第１放音孔が形成され、
前記壁部には、少なくとも１つの第２放音孔が形成され、
前記第２放音孔の開口面積は、前記第１放音孔の開口面積よりも大きい、
ことを特徴とするカバー。
【請求項２】
前記第２カバー板の内縁部は、前記伝達方向から見て前記第１カバー板の外縁部よりも外側に形成されている、
ことを特徴とする請求項１に記載のカバー。
【請求項３】
前記第１カバー板の外縁部と前記第２カバー板の内縁部とが、前記伝達方向から見て重なるように形成されている、
ことを特徴とする請求項１に記載のカバー。
【請求項４】
前記第１カバー板と前記第２カバー板の内縁部とが、前記伝達方向から見て重なるように形成されている、
ことを特徴とする請求項１に記載のカバー。
【請求項５】
請求項１から４のいずれか１項に記載のカバーと、
時刻表示部と、
前記音源と、
を備えることを特徴とする時計。
【発明の詳細な説明】
【技術分野】
【０００１】
本発明は、カバーおよび時計に関するものである。
【背景技術】
【０００２】
一般に、目覚まし時計等の電気機器の筐体内部には、報知音を出すためのスピーカ等の音源が配置されている。このような電気機器の筐体や、その筐体の一部を構成するカバーには、音源において発生した音を機器外部へ効率良く伝搬させるために、放音孔が設けられる。
例えば、特許文献１には、筐体がスピーカからの音を外部に放出するための１または複数の放音孔と、１または複数の補助放音孔とを備え、補助放音孔の開口面積は、放音孔の開口面積より小さくなっている表示装置が開示されている。
【先行技術文献】
【特許文献】
【０００３】
【特許文献１】特許第５０８４９４５号公報
【発明の概要】
【発明が解決しようとする課題】
【０００４】
しかしながら、特許文献１に記載の表示装置においては、筐体に大きな放音孔が設けられるため、正面視で放音孔が視認されやすいので、意匠性が低下する。したがって、従来技術では、音源を覆う筐体やカバーにおいて、音質の劣化を抑制しつつ、意匠性の低下を防止するのが困難であった。
【０００５】
そこで本発明は、音質の劣化を抑制しつつ意匠性の低下を防止できるカバー、およびこのカバーを備えた時計を提供するものである。
【課題を解決するための手段】
【０００６】
本発明のカバーは、音源の少なくとも一部を覆う第１カバー板と、前記音源から発せられた音の伝達方向から見て前記第１カバー板よりも外側に少なくとも一部が設けられ、少なくとも前記第１カバー板側の内縁部が前記第１カバー板よりも前記音源側に位置する第２カバー板と、前記第１カバー板の外縁部と、前記第２カバー板の内縁部と、を接続する壁部と、を備え、前記第２カバー板は、前記伝達方向に対して所定角度で交差し、前記壁部は、前記伝達方向に対して前記所定角度よりも小さい角度で交差し、前記第２カバー板には、少なくとも１つの第１放音孔が形成され、前記壁部には、少なくとも１つの第２放音孔が形成され、前記第２放音孔の開口面積は、前記第１放音孔の開口面積よりも大きい、ことを特徴とする。
本発明によれば、壁部が第２カバー板よりも音の伝達方向に対して小さい角度で交差しているため、壁部に形成された第２放音孔は、第２カバー板に形成された第１放音孔よりも、音の伝達方向から見たときの視認性が低くなる。これにより、第１放音孔よりも開口面積が大きい第２放音孔は視認されにくいので、カバーの意匠性を維持できる。また、第１放音孔よりも開口面積が大きく設定された第２放音孔を有するので音源から発せられる音の音量がカバーを介することで減少し、音質が劣化することを抑制できる。したがって、音質の劣化を抑制しつつ意匠性の低下を防止できるカバーが得られる。
【０００７】
上記のカバーにおいて、前記第２カバー板の内縁部は、前記伝達方向から見て前記第１カバー板の外縁部よりも外側に形成されている、ことを特徴とする。
本発明によれば、音の伝達方向から見て第１カバー板と第２カバー板とが重ならないように形成できる。これにより壁部は、例えばカバーを射出成形により製造する際のアンダーカットとならない。したがって、音質の劣化を抑制しつつ意匠性の低下を防止できるカバーを容易に製造できる。
【０００８】
上記のカバーにおいて、前記第１カバー板の外縁部と前記第２カバー板の内縁部とが、前記伝達方向から見て重なるように形成されている、ことを特徴とする。
本発明によれば、第２カバー板の内縁部は、音の伝達方向から見て第１カバー板の外縁部に重なっているため、第１カバー板の外縁部と第２カバー板の内縁部を接続する壁部は、音の伝達方向から見て第１カバー板により視認できない状態となる。これにより、壁部に形成された第２放音孔も、音の伝達方向から見て視認できない。また、壁部は、カバーを射出成形により製造する際のアンダーカットとならない。したがって、音質の劣化を抑制しつつ意匠性をより向上させるカバーを容易に製造できる。
【０００９】
上記のカバーにおいて、前記第１カバー板と前記第２カバー板の内縁部とが、前記伝達方向から見て重なるように形成されている、ことを特徴とする。
本発明によれば、第２カバー板の内縁部は、音の伝達方向から見て第１カバー板に重なっているため、第１カバー板の外縁部と第２カバー板の内縁部を接続する壁部は、音の伝達方向から見て第１カバー板により視認できない状態となる。これにより、壁部に形成された第２放音孔も、音の伝達方向から見て視認できない。したがって、カバーの意匠性をより向上させることができる。
【００１０】
本発明の時計は、上記カバーと、時刻表示部と、前記音源と、を備えることを特徴とする。
本発明によれば、上述したカバーを備えているため、音質の劣化が抑制され、意匠性に優れた時計が得られる。
【発明の効果】
【００１１】
本発明によれば、壁部が第２カバー板よりも音の伝達方向に対して小さい角度で交差しているため、壁部に形成された第２放音孔は、第２カバー板に形成された第１放音孔よりも、音の伝達方向から見たときの視認性が低くなる。これにより、第１放音孔よりも開口面積が大きい第２放音孔は視認されにくいので、カバーの意匠性を維持できる。また、第１放音孔よりも開口面積が大きく設定された第２放音孔を有するので音源から発せられる音の音量がカバーを介することで減少し、音質が劣化することを抑制できる。したがって、音質の劣化を抑制しつつ意匠性の低下を防止できるカバーが得られる。
【図面の簡単な説明】
【００１２】
【図１】第１実施形態の時計の斜視図である。
【図２】第１実施形態の時計の正面図である。
【図３】第１実施形態の時計の側面図である。
【図４】第１実施形態の時計の背面図である。
【図５】図２のＶ−Ｖ線における断面図である。
【図６】第１実施形態の他のスピーカカバーを示す斜視図である。
【図７】第１実施形態の他のスピーカカバーを示す斜視図である。
【図８】第２実施形態のスピーカカバーを示す斜視図である。
【図９】第２実施形態のスピーカカバーの変形例を示す斜視図である。
【発明を実施するための形態】
【００１３】
以下、本発明の実施形態を図面に基づいて説明する。
［第１実施形態］
（時計、カバー）
図１は、第１実施形態の時計の斜視図である。図２は、第１実施形態の時計の正面図である。図３は、第１実施形態の時計の側面図である。図４は、第１実施形態の時計の背面図である。
図１および図４に示すように、本実施形態の時計１は、アラーム機能を有する卓上型の時計である。時計１は、主にケース１０と、ケース１０の正面に配置された操作パネル２０と、ケース１０の両端部に配置され、スピーカ３０が取り付けられたスピーカカバー５０（請求項の「カバー」に相当。）と、ケース１０の内部に配置された検出部４０と、を備えている。時計１は、設置面に載置された状態で使用される。なお、図１以降の各図中において、矢印ＵＰは鉛直上方を指し、矢印ＦＲは時計１の前方を指し、矢印ＬＨは前方から見たときの左方を指すものとする。
【００１４】
図１および図３に示すように、ケース１０は、例えば樹脂材料等により、左右方向に延在する半円筒形状に形成され、平面部１１および曲面部１２を有している。ケース１０は、平面部１１が前方斜め上方に面するように構成されている。曲面部１２は、スピーカ３０から発せられる音を反響させることができる。
図３に示すように、ケース１０の後方には、台座部１３が形成されている。台座部１３の下面１３ａは、平坦に形成されて設置面に接している。
【００１５】
図２に示すように、ケース１０の平面部１１には、操作パネル２０が配置されている。操作パネル２０は、正面視略中央に配置された時刻表示部２１と、時刻表示部２１の周囲に配置された各種機能スイッチ２３と、を有する。時刻表示部２１は、例えば液晶表示装置等により形成され、時刻やカレンダー、温湿度等を表示する。各種機能スイッチ２３は、例えば音量調整や報知音選択、時刻調整等を行うスイッチとして設けられている。
【００１６】
図５は、図２のＶ−Ｖ線における断面図である。
図４および図５に示すように、ケース１０内の左右両端には、スピーカ３０（右スピーカ３０Ａおよび左スピーカ３０Ｂ）が配置されている。スピーカ３０は、例えばコーン紙等の振動板を備えた、スピーカ軸Ｐを中心とする円形状のスピーカである。スピーカ３０は、スピーカ軸Ｐと、発せられた指向性を有する音の伝達方向Ａと、が一致するように形成されている。スピーカ３０は、スピーカ軸Ｐおよび伝達方向Ａが左右方向に沿うように配置されている。
【００１７】
図４に示すように、ケース１０の曲面部１２には、一対の通気孔１５Ａ，１５Ｂが形成されている。一方の通気孔１５Ａは、ケース１０の右側において、右スピーカ３０Ａよりも左方に形成されている。他方の通気孔１５Ｂは、ケース１０の左側において、左スピーカ３０Ｂよりも右方に形成されている。通気孔１５Ａ，１５Ｂは、ケース１０の内部と外部を連通するように形成され、それぞれがケース１０の左端近傍および右端近傍に設けられることで、ケース１０の内外を効率良く通気可能としている。
【００１８】
図３および図４に示すように、ケース１０の左右両端部には、それぞれスピーカ３０を覆うスピーカカバー５０が配置されている。スピーカカバー５０は、例えば樹脂材料等により、左右方向から見て半円筒形状のケース１０の端部に対応する半円形状に形成されている。スピーカカバー５０は、右スピーカ３０Ａを覆う右カバー５０Ａと、左スピーカ３０Ｂを覆う左カバー５０Ｂとを含んでいる。なお、右カバー５０Ａと左カバー５０Ｂとは、対称形状に形成されている。したがって、以下の説明では主に右カバー５０Ａおよび右スピーカ３０Ａについて説明し、左カバー５０Ｂおよび左スピーカ３０Ｂの説明を省略する。
【００１９】
図５に示すように、右カバー５０Ａは、右方に面するカバー部５１と、カバー部５１の裏面（左面）に設けられたスピーカ保持部５９と、を有する。
スピーカ保持部５９は、左右方向に延在する円筒状に形成され、右スピーカ３０Ａが振動板をカバー部５１に対向させた状態で内嵌されている。
【００２０】
カバー部５１は、左右方向から見て、左右方向に沿う中心軸Ｑ周りに半円形状に形成されている（図３参照）。カバー部５１は、右スピーカ３０Ａの一部を覆う第１カバー板５２と、伝達方向Ａ（左右方向）から見て第１カバー板５２よりも外側に一部が設けられ、内縁部５４ａが第１カバー板５２よりも右スピーカ３０Ａ側に位置する第２カバー板５４と、第１カバー板５２の外縁部５２ａと第２カバー板５４の内縁部５４ａとを接続する壁部５７と、を備えている。
第１カバー板５２は、中心軸Ｑ周りにおいて、カバー部５１に対応する半円形状に形成されている。第１カバー板５２の半径は、例えばカバー部５１全体の半径の３分の１程度となっている。第１カバー板５２は、左右方向から見て、右スピーカ３０Ａの一部と重なるように形成されている（図３参照）。
【００２１】
第２カバー板５４は、中心軸Ｑを中心とする半円弧状の内縁部５４ａから、扇状に広がるように形成されている。内縁部５４ａは、第１カバー板５２の外縁部５２ａよりも左方（右スピーカ３０Ａ側）であって、伝達方向Ａ（左右方向）から見て第１カバー板５２の外縁部５２ａよりも外側に形成されている。第２カバー板５４は、中心軸Ｑから離れるにしたがって、右方に向かうように湾曲する凹曲面状に形成されている。第２カバー板５４は、その外面における接線Ｌ１が右スピーカ３０Ａの音の伝達方向Ａおよびスピーカ軸Ｐに対して交差角θ１で交差している。なお、第２カバー板５４は、Ｖ−Ｖ断面視において湾曲した形状に形成されているが、これに限定されず、Ｖ−Ｖ断面視において平板状に形成されていてもよい。
【００２２】
図３に示すように、第２カバー板５４には、複数の第１放音孔５５が形成されている。各第１放音孔５５は、例えば円形状の貫通孔である。第１放音孔５５は、中心軸Ｑから離間する方向に沿って一列に複数個配列されて、第１放音孔列５６を形成している。第１放音孔列５６は、第２カバー板５４における中心軸Ｑの周方向略中央に、放射状に複数列（本実施形態では５列）配置されている。これにより、右スピーカ３０Ａから発せられた音は、第１放音孔５５を通じてケース１０の内部から外部へ伝搬される。
【００２３】
図５に示すように、壁部５７は、第１カバー板５２の外縁部５２ａと、第２カバー板５４の内縁部５４ａと、を接続している。壁部５７は、第１カバー板５２の外縁部５２ａから左方に向かって、中心軸Ｑから離れるように延びている。壁部５７は、左右方向から見て、第１カバー板５２の外縁部５２ａに沿う扇状に形成されている（図３参照）。壁部５７は、Ｖ−Ｖ断面視において、右スピーカ３０Ａの音の伝達方向Ａおよびスピーカ軸Ｐに対して交差角θ２で交差する平板状に形成されている。壁部５７とスピーカ軸Ｐとの交差角θ２は、第２カバー板５４とスピーカ軸Ｐとの交差角θ１よりも小さくなっている。なお、壁部５７は、Ｖ−Ｖ断面視において平板状に形成されているが、これに限定されず、Ｖ−Ｖ断面視において湾曲した形状に形成されていてもよい。この場合には、壁部の外面における接線とスピーカ軸Ｐとの交差角が、第２カバー板５４とスピーカ軸Ｐとの交差角θ１よりも小さくなっていればよい。
【００２４】
図３に示すように、壁部５７には、複数（本実施形態では４個）の第２放音孔５８が形成されている。各第２放音孔５８は、中心軸Ｑから離間する方向に沿って形成された矩形状の貫通孔であって、壁部５７における中心軸Ｑの周方向略中央に、放射状に配置されている。これにより、右スピーカ３０Ａから発せられた音は、第２放音孔５８を通じてケース１０の内部から外部へ伝搬される。
【００２５】
上述したように、壁部５７とスピーカ軸Ｐとの交差角θ２は、第２カバー板５４とスピーカ軸Ｐとの交差角θ１よりも小さくなっている。図５に示すように、壁部５７は右スピーカ３０Ａの前面に対して、第２カバー板５４よりも傾斜して配置されている。このため、壁部５７と第２カバー板５４に同じ開口面積を有する放音孔が形成されている場合を想定すると、右スピーカ３０Ａの音の伝達方向Ａから見たとき、壁部５７に形成された放音孔は、第２カバー板５４に形成された放音孔よりも小さく見える。また、伝達方向Ａから見たとき、壁部５７に形成された放音孔は、実際の開口面積よりも小さく見える。すなわち、視認性が低くなる。このように、壁部５７に形成された第２放音孔５８は、第２カバー板５４に形成された第１放音孔５５よりも、伝達方向Ａから見たときの視認性が低くなっている。
【００２６】
右スピーカ３０Ａから発せられた音は、第１放音孔５５および第２放音孔５８を通じてケース１０の内部から外部へ伝搬される。ここで、右スピーカ３０Ａからの音の音量が右カバー５０Ａを介することで減少し、音質が劣化することを抑制するために、第１放音孔５５および第２放音孔５８の開口面積をある程度確保する必要がある。本発明においては、第２放音孔５８の開口面積が、第１放音孔５５の開口面積よりも大きくなっている。第１放音孔５５よりも視認性が低い第２放音孔５８の開口面積が大きいため、右スピーカ３０Ａの音の伝達方向Ａから見たとき、第２放音孔５８は視認されにくく実際の開口面積よりも小さく見えるため第２放音孔５８が目立たない。このように、右カバー５０Ａの意匠性を維持できる。また、第２カバー板５４に形成された少なくとも１つの第１放音孔５５と、壁部５７に形成された少なくとも１つの第２放音孔５８により、右スピーカ３０Ａからの音の音量や音質を確保するために必要な開口面積を確保することができる。
【００２７】
図４に示すように、ケース１０の内部には、検出部４０、電池６０と、が配置されている。
検出部４０は、例えばサーミスタ等の温度センサ、および例えばセラミック型等の湿度センサが基板に取り付けられたものである。検出部４０は、基板の面方向が左右方向に直交するように、かつ通気孔１５Ａよりも左方に配置されている。これにより検出部４０は、通気孔１５Ａを塞がないため、通気孔１５Ａをケース１０内において反響する音の逃げ孔として用いることができるとともに、外気取り込み用の孔とすることができる。
【００２８】
電池６０は、例えば円柱状の乾電池であり、台座部１３の内部に複数（本実施形態では３個）配置されている。このとき、第１の電池６０ａおよび第２の電池６０ｂは、左右方向に沿うように１列に配列されている。また、第３の電池６０ｃは、第１の電池６０ａに対して並列で配置されている。このように、複数個の電池６０を左右方向に沿って１列に配列することで、電池６０によるケース１０の断面積の減少を低減することができる。これにより、ケース１０の内部形状が、スピーカ３０により発せられた音を反響させる構造に形成されている場合において、全ての電池を並列に配置した場合と比較して、曲面部１２に囲繞された空間を有効に利用でき、音を効果的に反響させることができる。また、通気孔１５Ａと通気孔１５Ｂとの間を通気する空気の流れを阻害することを防止できる。
【００２９】
このように、本実施形態のスピーカカバー５０は、スピーカ３０の少なくとも一部を覆う第１カバー板５２と、スピーカ３０から発せられた音の伝達方向Ａから見て第１カバー板５２よりも外側に一部が設けられ、内縁部５４ａが第１カバー板５２よりもスピーカ３０側に位置する第２カバー板５４と、第１カバー板５２の外縁部５２ａと、第２カバー板５４の内縁部５４ａと、を接続する壁部５７と、を備えている。第２カバー板５４は、伝達方向Ａ（スピーカ軸Ｐ）に対して角度θ１で交差している。壁部５７は、伝達方向Ａ（スピーカ軸Ｐ）に対して角度θ１よりも小さい角度θ２で交差している。第２カバー板５４には、第１放音孔５５が形成され、壁部５７には、第２放音孔５８が形成されている。第２放音孔５８の開口面積は、第１放音孔５５の開口面積よりも大きくなっている。
この構成によれば、壁部５７が第２カバー板５４よりも伝達方向Ａ（スピーカ軸Ｐ）に対して小さい角度で交差しているため、壁部５７に形成された第２放音孔５８は、第２カバー板５４に形成された第１放音孔５５よりも、伝達方向Ａから見たときの視認性が低くなる。これにより、第１放音孔５５よりも開口面積が大きい第２放音孔５８は視認されにくいので、スピーカカバー５０の意匠性を維持できる。また、第１放音孔５５よりも開口面積が大きく設定された第２放音孔５８を有するので、スピーカ３０から発せられる音の音量がスピーカカバー５０を介することで減少し、音質が劣化することを抑制できる。したがって、音質の劣化を抑制しつつ意匠性の低下を防止できるスピーカカバー５０が得られる。
【００３０】
また、第２カバー板５４の内縁部５４ａは、伝達方向Ａから見て第１カバー板５２の外縁部５２ａよりも外側に形成されているため、伝達方向Ａから見て第１カバー板５２と第２カバー板５４とが重ならないように形成できる。これにより壁部５７は、例えばスピーカカバー５０を射出成形により製造する際のアンダーカットとならない。したがって、音質の劣化を抑制しつつ意匠性の低下を防止できるスピーカカバー５０を容易に製造できる。
【００３１】
本実施形態によれば、スピーカカバー５０と、時刻表示部２１と、スピーカ３０と、を備えることで、音質の劣化が抑制され、意匠性に優れた時計１が得られる。
【００３２】
図６および図７は、第１実施形態の他のスピーカカバーを示す斜視図である。
なお、スピーカカバー５０に形成された第１放音孔５５および第２放音孔５８の形状や形成位置は、上記形態に限定されるものではない。例えば図６に示すように、第１放音孔５５および第２放音孔５８は、第２カバー板５４および壁部５７の全体に亘って形成されてもよい。また、図７に示すように、第２放音孔５８は、中心軸Ｑの周方向における寸法が、第２放音孔５８と第２放音孔５８と間における壁部５７の中心軸Ｑの周方向における寸法よりも大きくなるように形成されてもよい。また、第１放音孔５５および第２放音孔５８は、中心軸Ｑに対して放射状に配列される構成に限定されず、第２カバー板５４および壁部５７において、例えば千鳥状に配列される構成や、不規則に配置される構成等であってもよい。
【００３３】
［第２実施形態］
（カバー）
次に第２実施形態のスピーカカバー１５０について説明する。
図８は、第２実施形態のスピーカカバーを示す斜視図である。
図３に示す第１実施形態では、スピーカカバー５０の第２カバー板５４の内縁部５４ａは、音の伝達方向Ａ（左右方向）から見て第１カバー板５２の外縁部５２ａよりも外側に形成されていた。これに対して、図８に示す第２実施形態では、スピーカカバー１５０の第２カバー板１５４の内縁部１５４ａは、音の伝達方向（左右方向）から見て第１カバー板５２の外縁部５２ａよりも内側に形成されている点で、第１実施形態と異なっている。なお、第１実施形態と同様の構成については、同一符号を付して詳細な説明を省略する。
【００３４】
図８に示すように、スピーカカバー１５０（右カバー１５０Ａ）は、第１カバー板５２と、第２カバー板１５４と、壁部１５７と、を備えている。
第２カバー板１５４は、中心軸Ｑを中心とする半円弧状の内縁部１５４ａから、扇状に広がるように形成されている。内縁部１５４ａは、第１カバー板５２の外縁部５２ａよりも左方（右スピーカ３０Ａ側）であって、音の伝達方向（左右方向）から見て第１カバー板５２の外縁部５２ａよりも内側に形成されている。すなわち、内縁部１５４ａは、音の伝達方向（左右方向）から見て第１カバー板５２と重なるように形成されている。第２カバー板１５４は、中心軸Ｑから離れるにしたがって、右方に向かうように湾曲する凹曲面状に形成されている。
【００３５】
壁部１５７は、第１カバー板５２の外縁部５２ａと、第２カバー板１５４の内縁部１５４ａと、を接続している。すなわち、壁部１５７は、第１カバー板５２の外縁部５２ａから左方に向かって、中心軸Ｑに近付くように延びている。これにより、壁部１５７は、音の伝達方向（左右方向）から見て第１カバー板５２と重なっている。
【００３６】
このように、本実施形態のスピーカカバー１５０は、第１カバー板５２と、第２カバー板１５４の内縁部１５４ａとが、音の伝達方向（左右方向）から見て重なるように形成されている。これにより、第１カバー板５２の外縁部５２ａと第２カバー板１５４の内縁部１５４ａとを接続する壁部１５７は、音の伝達方向から見て第１カバー板５２により視認できない状態となる。したがって、壁部１５７に形成された第２放音孔５８も、音の伝達方向から見て視認できないため、スピーカカバー１５０の意匠性をより向上させることができる。
【００３７】
図９は、第２実施形態のスピーカカバーの変形例を示す斜視図である。
図９に示す第２実施形態の変形例では、スピーカカバー１５０の第２カバー板１５４の内縁部１５４ｂは、音の伝達方向（左右方向）から見て第１カバー板５２の外縁部５２ｂと重なっている点で、図８に示す第２実施形態と異なっている。
【００３８】
このように、第１カバー板５２の外縁部５２ｂと第２カバー板１５４の内縁部１５４ｂとが、音の伝達方向から見て重なるように形成されても、第１カバー板５２の外縁部５２ｂと第２カバー板１５４の内縁部１５４ｂとを接続する壁部１５７は、音の伝達方向から見て第１カバー板５２により視認できない状態となる。また、壁部１５７は、スピーカカバー１５０を射出成形により製造する際のアンダーカットとならない。したがって、音質の劣化を抑制しつつ意匠性をより向上させるスピーカカバー１５０を容易に製造できる。
【００３９】
なお、本発明は、図面を参照して説明した上述の実施形態に限定されるものではなく、その技術的範囲において様々な変形例が考えられる。
例えば、上記実施形態においては、音源としてスピーカ３０が用いられているが、これに限定されず、例えば音源は圧電ブザー等であってもよい。
【００４０】
上記実施形態においては、ケース１０の両端部に配置されたスピーカ３０を覆うスピーカカバー５０，１５０について説明したが、本発明のカバーは少なくとも音源を覆うケースであってもよい。すなわち、音源の少なくとも一部を覆う筐体でもよい。
【００４１】
本実施形態において、音源から発せられた音の伝達方向から見たときに、第２カバー板の内縁部が第１カバー板の外縁部よりも外側に形成されているカバー、第１カバー板の外縁部と第２カバー板の内縁部とが重なるように形成されているカバー、第１カバー板と第２カバー板の内縁部とが重なるように形成されているカバーの例について述べたが、これらのうち少なくとも２つを組み合わせたカバーでもよい。
【００４２】
その他、本発明の趣旨を逸脱しない範囲で、上記した実施の形態における構成要素を周知の構成要素に置き換えることは適宜可能である。
【符号の説明】
【００４３】
１…時計  ２１…時刻表示部  ３０…スピーカ（音源）  ３０Ａ…右スピーカ（音源）  ３０Ｂ…左スピーカ（音源）  ５０，１５０…スピーカカバー（カバー）  ５０Ａ，１５０Ａ…右カバー（カバー）  ５０Ｂ…左カバー（カバー）  ５２…第１カバー板  ５２ａ，５２ｂ…第１カバー板の外縁部  ５４，１５４…第２カバー板  ５４ａ，１５４ａ，１５４ｂ…第２カバー板の外縁部  ５５…第１放音孔  ５７，１５７…壁部  ５８…第２放音孔  Ａ…音の伝達方向
【図１】
0006405595.tif 000002
【図２】
0006405595.tif 000003
【図３】
0006405595.tif 000004
【図４】
0006405595.tif 000005
【図５】
0006405595.tif 000006
【図６】
0006405595.tif 000007
【図７】
0006405595.tif 000008
【図８】
0006405595.tif 000009
【図９】
0006405595.tif 000010